(57)【要約】【課題】  ホースを一重巻及び二重巻にて簡単・確実に巻き取ると共に、訓練現場においても、火災現場においても巻取機本体を分割し、その場その場に合った作業を行えるため、より効果的な消防用ホース巻取機を提供する。【解決手段】  棒状の巻取機本体に、一重巻アタッチメントと二重巻アタッチメントを着脱自在に連結する回転ハンドル具と、巻き取るホースを案内する案内ガイドローラーと、巻き取ったホースを整頓保持する保持ガイドとからなることを特徴とする消防用ホース巻取機。【選択図】図１
2009196815.tif 000002
【特許請求の範囲】
【請求項１】
棒状の巻取機本体に、一重巻アタッチメントと二重巻アタッチメントを着脱自在に連結する回転ハンドル具と、巻き取るホースを案内する案内ガイドローラーと、巻き取ったホースを整頓保持する保持ガイドとからなることを特徴とする消防用ホース巻取機。
【請求項２】
棒状の巻取機本体を少なくとも上体と下体の２つに着脱自在に分割し、下体に車輪を設けてなることを特徴とする請求項１記載の消防用ホース巻取機。
【請求項３】
保持ガイドが、水平方向に突設した水平板に、巻き取られたホースの内側を整頓する内側ガイドピンと、巻き取られたホースの外側を整頓する着脱自在な外側ガイドピンを設けてなることを特徴とする請求項１又は２記載の消防用ホース巻取機。
【発明の詳細な説明】
【技術分野】
【０００１】  本発明は、訓練時においても、火災現場においても、一重巻き及び二重巻きにてホースを巻き取ることのできる消防用ホース巻取機に関するものである。
【背景技術】
【０００２】  従来の技術として、消防ホースを一重巻又は二重巻に巻取る消防ホース巻取機において、本体フレームをベースとして備え、この本体フレームに巻取回転軸を軸心を中心として回転可能に設け、上記巻取回転軸の一端に上記消防ホースを巻付け可能な一対の巻取棒をそれぞれ設け、上記巻取回転軸の他端にハンドルを設け、上記巻取回転軸の外側に、上記消防ホースを上記巻取棒の先端方向へ押出すホース押出部材を設けてなることを特徴とする消防ホース巻取機がある。（特許文献１参照）【０００３】  また、他の従来技術として、ホースが幅方向に位置決めされ且つ偏平状態で巻き取ることができる手動式の消防ホース等の巻き取り装置において、基枠前部に巻き口調整ローラーを取付け、及び、一重巻きの場合又は二重巻きの場合にこの巻き口調整ローラーの上方に差し替えて取付け可能な押えローラーを設け、前部にて位置決め及び偏平状態にされるものであって、この基枠のおよそ後部に巻き取り金具を装着するための支柱を前方へ折り畳み可能に一対取付けると共に、一重巻き用巻き取り金具と二重巻き用巻き取り金具を個々に備えて本体となす構成にするものがある。（特許文献２参照）
【特許文献１】特開２００３−７０９３１号公報
【特許文献２】特開２００２−１７３２７１号公報
【発明の開示】
【発明が解決しようとする課題】
【０００４】    上記前者において、本発明のようなホースを整頓保持する保持ガイドを設けていないため、巻き取りがスムーズに行えない場合がある。
また、地面を移動する形態（ブレーキ付キャスターを有した支持台）であるが、ホースが散乱する火災現場では移動が困難であり、実用上問題がある。【０００５】  上記後者においても、接地部材により所要の位置に置いて巻き取り作業を行うもので、特に火災現場にては使用が難しく、作業者に多大な労力を与えるものである。【０００６】  本発明は、上記のような従来の構成が有していた問題を解決するもので、ホースを一重巻及び二重巻にて簡単・確実に巻き取ると共に、訓練現場においても、火災現場においても巻取機本体を分割し、その場その場に合った作業を行えるため、より効果的な消防用ホース巻取機を提供することを目的とする。
つまり、消防の消火作業は過酷で重労働なため、消火活動が終わりホースを撤収する体力が残っておらず、何時次の出動要請がでるか分からない為に、時間に余裕がなく迅速に行う必要がある。
しかし、現状は疲労した体で腰をかがめ大量のホースを巻いているのが現状であり、このホースを巻く作業を楽にしたいのが主旨である。
【課題を解決するための手段】
【０００７】  本発明は、上記目的を達成するために、棒状の巻取機本体に、一重巻アタッチメントと二重巻アタッチメントを着脱自在に連結する回転ハンドル具と、巻き取るホースを案内する案内カイドローラーと、巻き取ったホースを整頓保持する保持ガイドとからなる。
棒状の巻取機本体を少なくとも上体と下体の２つに着脱自在に分割し、下体に車輪を設けてなる。
保持ガイドが、水平方向に突設した水平板に、巻き取られたホースの内側を整頓する内側ガイドピンと、巻き取られたホースの外側を整頓する着脱自在な外側ガイドピンを設けてなることを特徴とする。
【発明の効果】
【０００８】１）、案内ガイドローラーと保持ガイドの組合せにより、一重巻でも二重巻でも、簡単・容易にしかもきれいに巻き取ることができる。
２）、棒状の巻取機本体を上体と下体の２つに分割できることにより、例えば、訓練時においては、一体で使用し、火災現場においては上体のみを使用し持ち歩きながら交差したホースを迅速に巻き取ることができる。
３）、内側ガイドピンと外側ガイドピンにより、より確実にホースを巻き取ることができ、外側ガイドピンを取り外すことにより、巻き取ったホースの取り外しも簡単・確実にできる。
【発明を実施するための最良の形態】
【０００９】  １は、消防用ホース巻取機である。
２は、棒状の巻取機本体で、断面四角形状の棒体２ａの上体２ａ１の上端に水平方向に突出するハンドル２ｂを設けると共に、下体２ａ２には補強枠２ｃの下端に２つの車輪２ｄを設けてあり、上体２ａ１と下体２ａ２を引っ掛け錠２ｅ（通称パッチン錠）にて着脱自在に連結して一体に形成してある。
３は、上記上体２ａの水平方向に突設した巻き取るホースを一定方向に回転しながら案内する案内ガイドローラーである。
４は、巻き取ったホースを整頓保持する保持ガイドで、上記上体２ａ１の水平方向に突設した水平板４ａに、巻き取られたホースの内側を整頓する内側ガイドピン４ｂをボルト等にて固設すると共に、巻き取られたホースの外側を整頓するリング４ｃ１を設けた着脱自在な外側ガイドピン４ｃを設けてある。
５は、上記上体２ａ１に設けてなる一重巻アタッチメントと二重巻アタッチメントを着脱自在に連結する回転ハンドル具で、一側方に回転ハンドル５ａを、他側方にホースを挟持する直線状の２本の棒体からなる二重巻アタッチメント５ｂをボルト等にて連結してなるものである。【００１０】  上記消防用ホース巻取機１の使用手順を説明する。
１）、まず、保持ガイド４の水平板４ａより外側ガイドピン４ｃをリング４ｃ１に指（図示せず）を引っ掛けて引き抜く。（図４）
２）、ホースＨ（消防用ホース）を案内ガイドローラー３上に載せ、端部Ｔ（２つに折り畳んだ端部）を二重巻アタッチメント５ｂに差し込む（図５）
つづいて、外側ガイドピン４ｃを水平板４ａに差し込む。（図６）
３）、この状態で、回転ハンドル具５の回転ハンドル５ａを回転させ、二重巻アタッチメント５ｂにホースＨを巻き付ける。（図７）
４）、車輪２ｄで移動しながら回転ハンドル５ａを回転し、ホースＨを巻き続ける。（図８）
５）、最終的にすべてホースＨを巻き取る。（図９）
６）、つぎに、保持ガイド４の水平板４ａより外側ガイドピン４ｃをリング４ｃ１に指（図示せず）を入れ引き抜く。（図１０）
７）、最後に、地面に消防用ホース巻取機１を横にし、ホースＨを二重巻アタッチメントより下方へ落下させる。（図１１）【００１１】  つぎに、第２実施例の消防用ホース巻取機について説明する。
消防用ホース巻取機２１は、前記と同様な回転ハンドル具２５において略コの字形の一重巻アタッチメント２５ｂを設けてなるものである。【００１２】  この消防用ホース巻取機２１の使用手順を説明する。
１）、スタート時は、上記１）、と同様で、一重巻アタッチメント２５ｂ内に、ホース連結具ＨＲを差し込み、回転ハンドル２５ａを回転させる。（図１３）
２）、車輪２ｄで移動しながら回転ハンドル２５ａを回転し続け、ホースＨ１を巻き取る。（図１４）
３）、最終的にすべてのホースＨ１を巻き取った後（後端のホース連結具ＨＲ１が案内ガイドローラー３に当接する）、消防用ホース巻取機２１を地面に横にし、一重巻アタッチメント２５ｂより下方へ落下させる。（図１５・１６）【００１３】  つづいて、他の使用例について説明する。
上記使用例の場合は、訓練時や火災現場にてホースが比較的散乱していないときに有効で、車輪２ｄで移動してホースＨ・Ｈ１を巻き取るが、火災現場でホースが散乱している場合は、消防用ホース巻取機２１において、引っ掛け錠２ｅを開錠し、上体２ａ１をハンドル２ｂにて持ち、回転ハンドル２５ａを回転させながらホース間を移動し、巻き取るものである。（消防用ホース巻取機１も同様である。）【００１４】  上記各実施例において、材質は例えば軽いアルミニウムを使用するが、特に限定しない。
また、引っ掛け錠は、同様に連結できるものであれば、特に限定するものではなく、例えばボルト・ナットでもよい。
【図面の簡単な説明】
【００１５】
【図１】本発明の第１実施例を示す消防用ホース巻取機の正面図。
【図２】本発明の第１実施例を示す消防用ホース巻取機の右側面図。
【図３】本発明の第１実施例を示す消防用ホース巻取機の左側面図。
【図４】本発明の第１実施例を示す消防用ホース巻取機の第１使用状態図。
【図５】本発明の第１実施例を示す消防用ホース巻取機の第２使用状態図。
【図６】本発明の第１実施例を示す消防用ホース巻取機の第３使用状態図。
【図７】本発明の第１実施例を示す消防用ホース巻取機の第４使用状態図。
【図８】本発明の第１実施例を示す消防用ホース巻取機の第５使用状態図。
【図９】本発明の第１実施例を示す消防用ホース巻取機の第６使用状態図。
【図１０】本発明の第１実施例を示す消防用ホース巻取機の第７使用状態図。
【図１１】本発明の第１実施例を示す消防用ホース巻取機の第８使用状態図。
【図１２】本発明の第２実施例を示す消防用ホース巻取機の正面図。
【図１３】本発明の第２実施例を示す消防用ホース巻取機の第１使用状態図。
【図１４】本発明の第２実施例を示す消防用ホース巻取機の第２使用状態図。
【図１５】本発明の第２実施例を示す消防用ホース巻取機の第３使用状態図。
【図１６】本発明の第２実施例を示す消防用ホース巻取機の第４使用状態図。
【図１７】本発明の第２実施例を示す消防用ホース巻取機の他の使用例の正面図。
【符号の説明】
【００１６】１−−−−消防用ホース巻取機
２−−−−巻取機本体
２ａ−−−棒体
２ａ１−−上体
２ａ２−−下体
２ｂ−−−ハンドル
２ｃ−−−補強枠
２ｄ−−−車輪
２ｅ−−−引っ掛け錠
３−−−−案内ガイドローラー
４−−−−保持ガイド
４ａ−−−水平板
４ｂ−−−内側ガイドピン
４ｃ−−−外側ガイドピン
４ｃ１−−リング
５−−−−回転ハンドル具
５ａ−−−回転ハンドル
５ｂ−−−二重巻アタッチメント
Ｈ−−−−ホース
Ｔ−−−−端部
ＨＲ−−−ホース連結具
【図１】
2009196815.tif 000003
【図２】
2009196815.tif 000004
【図３】
2009196815.tif 000005
【図４】
2009196815.tif 000006
【図５】
2009196815.tif 000007
【図６】
2009196815.tif 000008
【図７】
2009196815.tif 000009
【図８】
2009196815.tif 000010
【図９】
2009196815.tif 000011
【図１０】
2009196815.tif 000012
【図１１】
2009196815.tif 000013
【図１２】
2009196815.tif 000014
【図１３】
2009196815.tif 000015
【図１４】
2009196815.tif 000016
【図１５】
2009196815.tif 000017
【図１６】
2009196815.tif 000018
【図１７】
2009196815.tif 000019